(57)【要約】【課題】専門的技術を要することなく簡単に施工することができ、且つ、形態やレイアウトの変更も容易に行なうことができる組積構造および組積工法を提供する。【解決手段】組積構造１０は、複数のブロック体１２を含む。ブロック体１２は、貫通部１６，１８を有する。ブロック体１２の貫通部１６，１８には、躯体１３および１５，１５のそれぞれに跨るように、ジョイントクリップ３０が装着される。ジョイントクリップ３０は、基材部３２を含み、対向する挿入片３４ａ，３４ｂを有する。挿入片３４ａ，３４ｂは、それぞれ、係止部４０ａ，４０ｂを備えた上向き挿入部３６ａ，３６ｂと、係止部４４ａ，４４ｂを備えた下向き挿入部３８ａ，３８ｂとを有する。ジョイントクリップ３０の係止部４０ａ，４０ｂと、他のジョイントクリップ３０の係止部４４ａ，４４ｂとが互いに係止されることにより、隣接する複数のブロック体１２，１２間が連結される。【選択図】図２
2005120747.tif 000002
【特許請求の範囲】
【請求項１】
その上面から下面に貫通する貫通部を備えた複数のブロック体を組積みするためのブロック体の組積構造であって、
水平方向および鉛直方向に隣接して組積みされる複数の前記ブロック体の隣接部分を跨るように着脱自在に配置され、水平方向および鉛直方向に隣接する複数の前記ブロック体を連結する複数のジョイントクリップを含み、
前記ジョイントクリップは、
水平方向に延び設けられ、鉛直方向に隣接する前記ブロック体の間に配置される基材部、
前記基材部の長さ方向の一方側および他方側で対向するように鉛直方向に延び設けられ、水平方向および鉛直方向に隣接する前記ブロック体の貫通部に挿入される挿入片、および
前記挿入片に設けられる係止部を含み、
前記ジョイントクリップの係止部と、他の前記ジョイントクリップの係止部とが互いに係止されることにより、隣接する前記ブロック体が連結されることを特徴とする、組積構造。
【請求項２】
前記挿入片は、
前記基材部の長さ方向の一端部および他端部から、それぞれ、上側に延び設けられる上向き挿入部、および
前記基材部の長さ方向の一端部および他端部から、それぞれ、下側に延び設けられる下向き挿入部を含み、
前記上向き挿入部および前記下向き挿入部は、それぞれ、弾性を有することを特徴とする、請求項１に記載の組積構造。
【請求項３】
複数の前記ジョイントクリップが複数の前記ブロック体の隣接部分に跨るように配置されたときに、前記ジョイントクリップの係止部と他の前記ジョイントクリップの係止部とが係止可能となるように、前記ジョイントクリップの挿入片および他の前記ジョイントクリップの挿入片に前記係止部が設けられることを特徴とする、請求項１または請求項２に記載の組積構造。
【請求項４】
最下段に配置される複数の前記ブロック体の隣接部分を跨るように着脱自在に配置され、水平方向に隣接する複数の前記ブロック体を連結する複数の別のジョイントクリップをさらに含み、
別の前記ジョイントクリップは、
水平方向に延び設けられ、水平方向に隣接する前記ブロック体の下面に配置される別の基材部、
前記別の基材部の長さ方向の一方端部および他方端部から上側に延び設けられ、水平方向に隣接する前記ブロック体の貫通部に挿入される弾性を有した別の挿入片、および
前記別の挿入片に設けられる別の係止部を含み、
前記別のジョイントクリップの係止部と、請求項１〜請求項３のいずれかに記載の前記ジョイントクリップの係止部とが互いに係止されることにより、最下段に隣接して配置される複数の前記ブロック体が連結されることを特徴とする、請求項１〜請求項３のいずれかに記載の組積構造。
【請求項５】
請求項１〜請求項３のいずれかに記載の前記ジョイントクリップを用いて、その上面から下面に貫通する貫通部を備えた複数のブロック体を組積みするためのブロック体の組積工法であって、
水平方向および鉛直方向に隣接して組積みされる複数の前記ブロック体の隣接部分を跨るように、前記ジョイントクリップを着脱自在にセットするセット工程、および
セットされた前記ジョイントクリップの係止部と、他の前記ジョイントクリップの係止部とを互いに係止することにより、隣接する前記ブロック体を連結する連結工程を含む、組積工法。
【請求項６】
最下段に配置される複数の前記ブロック体の隣接部分を跨るように、請求項４に記載の前記別のジョイントクリップを前記ブロック体の下面に着脱自在にセットする別のセット工程、および
前記別のジョイントクリップの係止部と、請求項１〜請求項３のいずれかに記載の前記ジョイントクリップの係止部とを互いに係止することにより、最下段に隣接して配置される複数の前記ブロック体を連結する別の連結工程をさらに含む、請求項５に記載の組積工法。
【発明の詳細な説明】
【技術分野】
【０００１】
本願発明は、組積構造および組積工法に関し、特に、たとえばれんがを組積みして形成される花壇等に用いて好適な組積構造および組積工法に関する。
【背景技術】
【０００２】
本願発明の背景技術となる従来の組積構造及び組積工法の一例には、組積壁体内に水平間隔で配置した縦筋に対し、鉛直方向の一定間隔に単体の水平のモルタル目地に座金を備えた節を付設し、節は、単体上端のモルタルを施した上に置く座金と、座金の上に載せる縦筋固定筒と下部のフランジで形成された固定金具で構成した組積構造があった（例えば、特許文献１参照。）。
この組積方法では、先ず、基礎コンクリートにアンカーした縦筋が所定の間隔に立てられる。次に、基礎コンクリートの上には、モルタルが施され、煉瓦あるいはブロックなどの単体が積まれる。単体の中央には、縦筋を通す貫通孔が縦方向に設けられ、単体の両側には、横断面が凹条の溝が形成され、隣り合う単体の溝とで縦筋を通す孔が形成される。そして、単体の貫通孔及び隣り合う単体の溝とで形成される孔に縦筋が通されて、単体が積まれる。さらに、単体の上には、モルタルが施され、縦筋を単体の孔に通して次の単体が積まれる。これが繰返される。
それから、縦筋（鉄筋）に節を設けるレベル達すると、単体の上端に節が形成される。さらに、単体の上の全面にモルタルが敷かれた後、そのモルタルに埋め込むようにして、水平補強材が設置され、モルタル表面が鏝で均される。次に、モルタルの上に次段の単体が積まれる。水平補強部材は、ワイヤーメッシュあるいは薄い鉄板が使用される。
以上の手順が繰返され、壁が所定の高さに達した後、壁体頂部には、最上段の単体の上端にモルタルを敷いた上から頂部水平材としての鉄板または形鋼が置かれる。そして、頂部水平材には縦筋が通され、固定金物が縦筋に締付けられて固定される。
この従来の組積構造及び組積方法によれば、縦筋に施した節の作用により、地震等により水平荷重がかかる場合、壁の下部から上部までの各位置で壁体が縦筋と一体となって、鉄筋効果と相俟って壁体強度が増加する。
【０００３】
また、本願発明の背景技術となる従来の組立花壇の一例には、側板化粧パネルとコーナー用化粧パネルとからなる複数の化粧パネルを、その面方向に並べて隣接するもの同士を互いに連結分離自在に設け、それら化粧パネル同士の組付け構造により、その内方に植栽部空間を形成する状態に平面視矩形の筒状組立花壇を構成したものがあった（例えば、特許文献２参照。）。この場合、各化粧パネルの裏面の周部には、接着剤を介してアルミニウム押し出し成型の補強枠が取付けられる。また、隣接する各化粧パネルの補強枠同士は、チャンネル材からなる連結部材により連結されている。
この従来の組立花壇によれば、薄肉のパネルであっても、強度が確保されて土圧に耐え、連結部材によって補強枠同士が分離しないように連結されているため、複数の化粧パネル同士が組立状態を地面に固定せずとも維持することができる。
【０００４】
さらに、本願発明の背景技術となる従来の花壇には、丸太の外周部廃材を利用して製作した枠片を多数枚、縦に並列し、裏面の上桟及び下桟と一体固着して、前側及び後側の２枚の長側枠板並びに左右両側の２枚の短側枠板を前もって製作用意し、８個の連結金具とその取着用の木ねじ４８個を使って長方形花壇を組み立て結合し、さらに、複数枚の同一幅に分割された底板を装着したものがあった（例えば、特許文献３参照。）。
この従来の花壇によれば、丸太の外周部廃材を利用しているため、省資源的効果が高く、自然木の外観を有する本格的な木製花壇が提供される。
【０００５】
【特許文献１】特開２００２−２６６４４７号公報（第２−３頁、図１、図３）
【特許文献２】特開２０００−２０９９４５号公報（第２−３頁、図２、図３）
【特許文献３】登録実用新案第３０２４２５６号公報（第５−７頁、図１−図１０）
【発明の開示】
【発明が解決しようとする課題】
【０００６】
しかしながら、上記した従来の組積構造及び組積工法（例えば、特許文献１参照。）では、基礎コンクリートの上、上下左右に組積みされる煉瓦あるいはブロックなどの単体と単体との間にモルタルを施して鏝で均したり、さらに、縦筋に座金と固定金具とからなる節を配置したり、その上、ワイヤーメッシュあるいは薄い鉄板からなる水平補強材、および、鉄板または形鋼からなる頂部水平材などを配置したりと、組積み施工に際して、多くの工数とそれに伴う熟練した専門的技術とが必要である。そのため、基本的に湿式組積み工法を採用しているこのような組積構造および組積工法では、専門技術を持たない一般の家庭の婦人や老人などの作業者には、施工が極めて困難なものとなっていた。その上、この従来の組積構造及び組積工法では、モルタルを用いているので、形態やレイアウトの変更なども容易にはできないものであった。
また、上記した従来の組立花壇（例えば、特許文献２参照。）では、側板化粧パネルおよびコーナー用化粧パネルからなる複数の長尺矩形状の化粧パネルを面方向に並べて隣接するもの同士を互いに連結分離自在に配置し、各化粧パネルの裏面の周部に接着剤を介してアルミニウム押し出し成型の補強枠を取付けたり、さらに、隣接する各化粧パネルの補強枠同士をチャンネル材からなる連結部材で連結するなどの作業が大掛かりなものとなり、一人の作業者では組立てるのに手間のかかるものであった。しかも、この従来の組立花壇は、長尺矩形状の複数の化粧パネルにより構成されるため、出来上がったものは、必然的に平面視矩形の筒状組立花壇となり、多様な形態の組立花壇を構成することが困難なものであった。しかも、レイアウトの変更なども容易にはできなかった。
さらに、上記した従来の花壇（例えば、特許文献３参照。）では、重量のある丸太の外周部廃材が利用され製作されるため、作業者にとってその取扱いが難しいものとなる。つまり、外周部廃材を同一幅、同一長さに切断し、皮はぎ、表面削り、上下の角を丸めて削って、多数枚の枠片を製作し、それらの枠片を並べて釘で打ち付けたり、アングル状の連結金具や多くの木ねじで結合したりと、これまた、組立作業に際して熟練した専門的技術を要するものであった。したがって、この従来の花壇においても、手間をあまりかけず、簡単に花壇を製作することが困難であった。さらに、形態やレイアウトの変更なども容易にはできないものであった。
【０００７】
それゆえに、本願発明の主たる目的は、専門的技術を要することなく簡単に施工することができ、且つ、形態やレイアウトの変更も容易に行なうことができる、組積構造および組積工法を提供することである。
【課題を解決するための手段】
【０００８】
請求項１にかかる本願発明は、その上面から下面に貫通する貫通部を備えた複数のブロック体を組積みするためのブロック体の組積構造であって、水平方向および鉛直方向に隣接して組積みされる複数のブロック体の隣接部分を跨るように着脱自在に配置され、水平方向および鉛直方向に隣接する複数のブロック体を連結する複数のジョイントクリップを含み、ジョイントクリップは、水平方向に延び設けられ、鉛直方向に隣接するブロック体の間に配置される基材部と、基材部の長さ方向の一方側および他方側で対向するように鉛直方向に延び設けられ、水平方向および鉛直方向に隣接するブロック体の貫通部に挿入される挿入片と、挿入片に設けられる係止部とを含み、ジョイントクリップの係止部と、他のジョイントクリップの係止部とが互いに係止されることにより、隣接するブロック体が連結されることを特徴とする、組積構造である。
請求項２にかかる本願発明は、請求項１にかかる発明に従属する組積構造であって、挿入片は、基材部の長さ方向の一端部および他端部から、それぞれ、上側に延び設けられる上向き挿入部と、基材部の長さ方向の一端部および他端部から、それぞれ、下側に延び設けられる下向き挿入部とを含み、上向き挿入部および下向き挿入部は、それぞれ、弾性を有することを特徴とする、組積構造である。
請求項３にかかる本願発明は、請求項１または請求項２にかかる発明に従属する組積構造であって、複数のジョイントクリップが複数のブロック体の隣接部分に跨るように配置されたときに、ジョイントクリップの係止部と他のジョイントクリップの係止部とが係止可能となるように、ジョイントクリップの挿入片および他のジョイントクリップの挿入片に係止部が設けられることを特徴とする、組積構造である。
請求項４にかかる本願発明は、請求項１〜請求項３のいずれかにかかる発明に従属する組積構造であって、最下段に配置される複数のブロック体の隣接部分を跨るように着脱自在に配置され、水平方向に隣接する複数のブロック体を連結する複数の別のジョイントクリップをさらに含み、別のジョイントクリップは、水平方向に延び設けられ、水平方向に隣接するブロック体の下面に配置される別の基材部と、別の基材部の長さ方向の一方端部および他方端部から上側に延び設けられ、水平方向に隣接するブロック体の貫通部に挿入される弾性を有した別の挿入片と、別の挿入片に設けられる別の係止部とを含み、別のジョイントクリップの係止部と、請求項１〜請求項３のいずれかに記載のジョイントクリップの係止部とが互いに係止されることにより、最下段に隣接して配置される複数のブロック体が連結されることを特徴とする、組積構造である。
請求項５にかかる本願発明は、請求項１〜請求項３のいずれかに記載のジョイントクリップを用いて、その上面から下面に貫通する貫通部を備えた複数のブロック体を組積みするためのブロック体の組積工法であって、水平方向および鉛直方向に隣接して組積みされる複数のブロック体の隣接部分を跨るように、ジョイントクリップを着脱自在にセットするセット工程と、セットされたジョイントクリップの係止部と、他のジョイントクリップの係止部とを互いに係止することにより、隣接するブロック体を連結する連結工程とを含む、組積工法である。
請求項６にかかる本願発明は、請求項５にかかる発明に従属する組積工法であって、最下段に配置される複数のブロック体の隣接部分を跨るように、請求項４に記載の別のジョイントクリップをブロック体の下面に着脱自在にセットする別のセット工程と、別のジョイントクリップの係止部と、請求項１〜請求項３のいずれかに記載のジョイントクリップの係止部とを互いに係止することにより、最下段に隣接して配置される複数のブロック体を連結する別の連結工程をさらに含む、組積工法である。
【０００９】
［作用］
請求項１にかかる本願発明では、水平方向および鉛直方向に隣接して組積みされる複数のブロック体の隣接部分を跨るように、複数のジョイントクリップが着脱自在に配置される。ジョイントクリップによって、水平方向および鉛直方向に隣接する複数のブロック体が連結される。この場合、ジョイントクリップの基材部は、鉛直方向に隣接するブロック体の間に配置される。また、ジョイントクリップの挿入片は、水平方向および鉛直方向に隣接するブロック体の貫通部および他のブロック体の貫通部に挿入される。そして、隣接するブロック体は、ジョイントクリップの係止部と、他のジョイントクリップの係止部とが、互いに係止されることにより連結される。
請求項２にかかる本願発明では、挿入片の上向き挿入部および下向き挿入部が、それぞれ、水平方向および鉛直方向に隣接するブロック体の貫通部および他のブロック体の貫通部に挿入される。この場合、上向き挿入部および下向き挿入部は、それぞれ、弾性を有するので、隣接するブロック体同士をより一層密着させる方向に、ブロック体の隣接部分の面を押圧することが可能となる。したがって、隣接するブロック体間の連結力を高めることが可能となる。
請求項３にかかる本願発明では、複数のジョイントクリップが複数のブロック体の隣接部分に跨るように配置され、ジョイントクリップの係止部と他のジョイントクリップの係止部とが係止されることによって、ジョイントクリップの挿入片と他のジョイントクリップの挿入片とが連結される。
請求項４にかかる本願発明では、最下段に配置される複数のブロック体の隣接部分を跨るように、別のジョイントクリップが着脱自在に配置される。別のジョイントクリップの弾性を有した挿入片は、水平方向に隣接するブロック体の貫通部および他のブロック体の貫通部に挿入される。この場合、別のジョイントクリップの係止部と、請求項１〜請求項３のいずれかに記載のジョイントクリップの係止部とが互いに係止されることにより、最下段に隣接して配置される複数のブロック体が連結される。また、別のジョイントクリップの挿入片は、弾性を有するため、最下段に配置されたブロック体同士をより一層密着させる方向に、ブロック体の隣接部分の面を押圧することが可能となる。そのため、隣接するブロック体間の連結力が高められる。
請求項５にかかる本願発明では、セット工程によって、水平方向および鉛直方向に隣接して組積みされる複数のブロック体の隣接部分を跨るように、ジョイントクリップが着脱自在にセットされる。また、連結工程によって、セットされたジョイントクリップの係止部と、他のジョイントクリップの係止部とが互いに係止され、隣接するブロック体が連結される。
請求項６にかかる本願発明では、別のセット工程によって、最下段に配置される複数のブロック体の隣接部分を跨るように、別のジョイントクリップがブロック体の下面に着脱自在にセットされる。また、別の連結工程によって、別のジョイントクリップの係止部と、請求項１〜請求項３のいずれかに記載のジョイントクリップの係止部とが互いに係止されることにより、最下段に隣接して配置される複数のブロック体が連結される。
請求項１〜請求項６のいずれかにかかる本願発明によれば、水平方向および鉛直方向に組積みされて隣接する複数のブロック体は、上述したように、着脱自在に配置された複数のジョイントクリップによって、すなわち、ジョイントクリップの係止部を他のジョイントクリップに係止させることによって、簡単に連結される。また、該係止部の係止状態を解除することによって、組積みされた複数のブロック体を簡単に解体することも可能となる。そのため、複数のブロック体の内の一部のブロック体を違う形態のブロック体と変更したり、さらに、組積みされた複数のブロック体全体で構築される建築物のレイアウトを変更したりすることも、手間をかけずに、適宜、簡便に行なえる。
【発明の効果】
【００１０】
本願発明にかかる組積構造および組積工法によれば、専門的技術を要することなく簡単に施工することができ、且つ、形態やレイアウトの変更も容易に行なうことができる。
【００１１】
この発明の上述の目的，その他の目的，特徴および利点は、図面を参照して行う以下の発明を実施するための最良の形態の説明から一層明らかとなろう。
【発明を実施するための最良の形態】
【００１２】
図１は、本願発明にかかる組積構造の一例を示す要部分解斜視図であり、図２は、本願発明にかかる組積構造の一例を示す要部断面図解図である。組積構造１０は、長さ方向を有する複数のブロック体１２を含む。ブロック体１２には、れんが等が用いられる。複数のブロック体１２が組積みされ、適宜、所望のレイアウトを構成することにより、たとえば図９に示すような平面視矩形の花壇等の建築物１００が構築される。以下には、花壇等の建築物１００の１つの壁体１０２の組積構造１０について説明する。
【００１３】
複数のブロック体１２は、それぞれ、基本的に同様の構造を有するもので、略直方体形のブロック本体１４を含む。ブロック本体１４は、その上面から下面に貫通するたとえば２つの貫通部１６，１８を有する。貫通部１６，１８は、ブロック本体１４の長さ方向に所定の間隔を隔てて設けられる。貫通部１６，１８は、たとえば平面視矩形状の貫通穴で構成され、ブロック本体１４の幅方向の略中央に配置される。
また、ブロック本体１４の下面には、その幅方向の略中央で、且つ、その長さ方向の一端から他端にかけて、平面視矩形の段差部２０が設けられる。段差部２０の幅は、貫通部１６，１８の幅と略同一である。さらに、ブロック本体１４の幅方向の一方側面には、たとえば矩形帯状の装飾部２２が設けられる。装飾部２２は、複数のブロック体１２が組積みされたときに、正面側（前面側）に配置され、装飾部２２，２２間に擬似的な目地部を演出するものである。
【００１４】
さらに、組積構造１０は、複数のジョイントクリップ３０を含む。複数のジョイントクリップ３０は、水平方向および鉛直方向に隣接して組積みされる複数のブロック体１２の隣接部分を跨るように着脱自在に配置される。複数のジョイントクリップ３０は、水平方向および鉛直方向に隣接する複数のブロック体１２を連結するためのものである。
【００１５】
そこで、ジョイントクリップ３０について、特に、図３（Ａ），（Ｂ）を参照しながら、詳細に説明する。複数のジョイントクリップ３０は、それぞれ、同一の構造を有するので、ここでは１つのジョイントクリップ３０について説明する。ジョイントクリップ３０は、水平方向に延び設けられるたとえば矩形平面状の基材部３２を含む。基材部３２の長さ方向の一方側および他方側には、それぞれ、挿入片３４ａおよび３４ｂが設けられる。挿入片３４ａおよび３４ｂは、基材部３２の長さ方向の一方側および他方側で対向するように配置され、それぞれ、鉛直方向に延び設けられる。
【００１６】
さらに、挿入片３４ａは、基材部３２の長さ方向の一端部および他端部から、それぞれ、上側に延び設けられる上向き挿入部３６ａおよび３６ｂを含み、挿入片３４ｂは、基材部３２の長さ方向の一端部および他端部から、それぞれ、下側に延び設けられる下向き挿入部３８ａおよび３８ｂを含む。上向き挿入部３６ａ，３６ｂおよび下向き挿入部３８ａ，３８ｂは、たとえば矩形平面状に設けられる。上向き挿入部３６ａ，３６ｂおよび下向き挿入部３８ａ，３８ｂは、それぞれ、基材部３２側、つまり、内側に僅かに傾いた状態で設けられる。
【００１７】
上向き挿入部３６ａおよび３６ｂの対向面側（内側面）には、それぞれ、その長さ方向の上側に、所定の領域をもって係止部４０ａおよび４０ｂが配設される。係止部４０ａおよび４０ｂは、それぞれ、例えば、多数の断面Ｖ字状の溝部４２ａおよび４２ｂを有する。多数の溝部４２ａおよび４２ｂは、それぞれ、上向き挿入部３６ａおよび３６ｂの幅方向の一端から他端にかけて直線的に設けられる。さらに、多数の溝部４２ａおよび４２ｂの頂端は、それぞれ、上向き挿入部３６ａおよび３６ｂの内側斜め下方に向いて配列される。多数の溝部４２ａおよび４２ｂは、基材部３２を間において、対称的に配列される。
【００１８】
また、下向き挿入部３８ａおよび３８ｂの対向面と反対の面側（外側面）には、それぞれ、その長さ方向の下側に、所定の領域をもって係止部４４ａおよび４４ｂが配設される。係止部４４ａおよび４４ｂは、それぞれ、例えば、多数の断面Ｖ字状の溝部４６ａおよび４６ｂを有する。多数の溝部４６ａおよび４６ｂは、それぞれ、下向き挿入部３８ａおよび３６８の幅方向の一端から他端にかけて直線的に設けられる。さらに、多数の溝部４６ａおよび４６ｂの頂端は、それぞれ、上向き挿入部３６ａおよび３６ｂの外側斜め上方に向いて配列される。多数の溝部４６ａおよび４６ｂは、基材部３２を間において、対称的に配列される。
上述の基材部３２、上向き挿入部３６ａ，３６ｂおよび下向き挿入部３８ａ，３８ｂは、たとえば弾性を有するプラスチックで一体的に形成される。
【００１９】
さらに、この組積構造１０は、複数の別のジョイントクリップ５０を含む。複数の別のジョイントクリップ５０は、最下段において水平方向に隣接される複数のブロック体１２を連結するためのものであり、複数のブロック体１２の隣接部分を跨るように着脱自在に配置される。複数の別のジョイントクリップ５０は、それぞれ、上述したジョイントクリップ３０において、挿入片３４ａ，３４ｂの下向き挿入部３８ａ，３８ｂが設けられていないものと同様の構造を有するものである。
すなわち、別のジョイントクリップ５０は、図４（Ａ），（Ｂ）に示すように、水平方向に延び設けられるたとえば矩形平面状の別の基材部５２を含む。この基材部５２の長さ方向の一方側および他方側には、それぞれ、別の挿入片５４ａおよび５４ｂが設けられる。挿入片５４ａおよび５４ｂは、基材部５２の長さ方向の一方側および他方側で対向するように配置され、それぞれ、鉛直方向に延び設けられる。
【００２０】
また、挿入片５４ａは、基材部５２の長さ方向の一端部および他端部から、それぞれ、上側に延び設けられる別の上向き挿入部５６ａおよび５６ｂを含む。上向き挿入部５６ａ，５６ｂは、たとえば矩形平面状に設けられる。上向き挿入部５６ａ，５６ｂは、それぞれ、基材部５２側、つまり、内側に僅かに傾いた状態で設けられる。
さらに、上向き挿入部５６ａおよび５６ｂの対向面側（内側面）には、それぞれ、その長さ方向の上側に、所定の領域をもって別の係止部５８ａおよび５８ｂが配設される。係止部５８ａおよび５８ｂは、それぞれ、例えば、多数の断面Ｖ字状の溝部６０ａおよび６０ｂを有する。多数の溝部６０ａおよび６０ｂは、それぞれ、上向き挿入部５６ａおよび５６ｂの幅方向の一端から他端にかけて直線的に設けられる。さらに、多数の溝部６０ａおよび６０ｂの頂端は、それぞれ、上向き挿入部５６ａおよび５６ｂの内側斜め下方に向いて配列される。多数の溝部６０ａおよび６０ｂは、基材部５２を間において、対称的に配列される。
上述の基材部５２、上向き挿入部５６ａおよび５６ｂは、たとえば弾性を有するプラスチックで一体的に形成される。
【００２１】
この組積構造１０では、特に、図２に示すように、最下段において、水平方向に隣接して配置される複数のブロック体１２の下面側に、各ブロック体１２の貫通部１６および１８間に位置する各ブロック体１２の躯体１３に跨るようにして、複数のジョイントクリップ５０が着脱自在に配置される。この場合、各ブロック体１２の貫通部１６および１８には、各ブロック体１２の下側から、それぞれ、ジョイントクリップ５０の上向き挿入部５６ａおよび５６ｂが挿入される。つまり、上向き挿入部５６ａおよび５６ｂの間に、各ブロック体１２の躯体１３が挟持される。
また、複数のブロック体１２の下面側には、隣接する複数のブロック体１２とブロック体１２との間（隣接部分）に跨るように、複数のジョイントクリップ５０が着脱自在に配置される。この場合、複数のブロック体１２の隣接部分を間に介して、その両側に配置されるブロック体１２の貫通部１８および１６に、それぞれ、ジョイントクリップ５０の上向き挿入部５６ａおよび５６ｂが挿入される。つまり、上向き挿入部５６ａおよび５６ｂの間に、隣接部分の両側に位置する各ブロック体１２の躯体１５，１５が挟持される。
【００２２】
さらに、最下段に配列された複数のブロック体１２の上面には、各ブロック体１２の躯体１３に跨るように、複数のジョイントクリップ３０が着脱自在に配置される。各ブロック体１２の貫通部１６および１８には、各ブロック体１２の上側から、それぞれ、ジョイントクリップ３０の下向き挿入部３８ａおよび３８ｂが挿入される。下向き挿入部３８ａおよび３８ｂは、その係止部４４ａおよび４４ｂと、最下段の各ブロック体１２に配置されたジョイントクリップ５０の係止部５８ａおよび５８ｂとが、それぞれ、係止されるように、各ブロック体１２の貫通部１６および１８に挿入される。
この場合、ジョイントクリップ３０の係止部４４ａと、ジョイントクリップ５０の係止部５８ａとは、たとえば図５に示すように、係止部４４ａの溝部４６ａと係止部５８ａの溝部６０ａとが噛み合うことによって係止される。また、ジョイントクリップ３０の係止部４４ｂと、ジョイントクリップ５０の係止部５８ｂとは、係止部４４ｂの溝部４６ｂと係止部５８ｂの溝部６０ｂとが噛み合うことによって係止される。つまり、ジョイントクリップ３０の下向き挿入部４４ａおよび４４ｂの間に、各ブロック体１２の躯体１３が挟持される。
【００２３】
また、最下段に配列された複数のブロック体１２の上面には、各ブロック体１２の躯体１５に跨るように、複数のジョイントクリップ３０が配置される。各ブロック体１２の貫通部１８および１６には、それぞれ、各ブロック体１２の上側から、それぞれ、ジョイントクリップ３０の下向き挿入部３８ａおよび３８ｂが挿入される。下向き挿入部３８ａおよび３８ｂは、その係止部４４ａおよび４４ｂと、最下段の各ブロック体１２の躯体１５，１５を挟持するジョイントクリップ５０の係止部５８ａおよび５８ｂとが、それぞれ、係止されるように、各ブロック体１２の貫通部１８および１６に挿入される。この場合、ジョイントクリップ３０の係止部４４ａ，４４ｂと、ジョイントクリップ５０の係止部５８ａ，５８ｂとは、係止部４４ａ，４４ｂの溝部４６ａ，４６ｂと係止部５８ａ，５８ｂの溝部６０ａ，６０ｂとが噛み合うことによって係止される。つまり、ジョイントクリップ３０の下向き挿入部４４ａおよび４４ｂの間に、各ブロック体１２の躯体１３が挟持される。
【００２４】
さらに、最下段に配列された複数のブロック体１２の上面には、複数のブロック体１２が組積みされることにより、２段目が構成される。最下段に配列された複数のブロック体１２の躯体１５，１５の上面に、積まれる側の複数のブロック体１２の躯体１３の下面が位置するように、２段目の複数のブロック体１２が積まれる。この場合、最下段に配列された複数のブロック体１２の躯体１５，１５に配置された各ジョイントクリップ３０の上向き挿入部３６ａおよび３６ｂ間に、積まれる側のブロック体１２の躯体１３が挟持される。また、最下段に配列された複数のブロック体１２の躯体１３に配置された各ジョイントクリップ３０の上向き挿入部３６ａおよび３６ｂ間に、積まれる側のブロック体１２の躯体１５，１５が挟持される。
【００２５】
さらに、２段目の複数のブロック体１２の上面には、複数のジョイントクリップ３０を最下段の複数のブロック体１２の上面に配置したと同様の方法により、複数のジョイントクリップ３０が配置される。この場合、各ジョイントクリップ３０の下向き挿入部３８ａ，３８ｂの係止部４４ａ，４４ｂと、最下段の複数のブロック体１２の上面に配置した各ジョイントクリップ３０の上向き挿入部３６ａ，３６ｂの係止部４０ａ，４０ｂとが、それぞれ、係止される。さらに、２段目の複数のブロック体１２の上には、最下段のブロック体１２の上に２段目のブロック体１２を組積みした場合と同様の方法により、３段目のブロック体１２が組積みされる。そして、最上段（図２に示すものでは３段目）のブロック体１２の上には、各ブロック体１２の貫通部１６，１８を塞ぐようにして、笠置用のブロック体６２が嵌め込まれる。
このようにして、複数のブロック体１２が組積みされ、たとえば図９に示す花壇等の建築物１００の壁体１０２が形成される。
【００２６】
次に、この組積構造１０を用いた組積工法の一例について、特に、図６および図７等を参照しながら説明する。
先ず、予め製作する花壇等の建築物１００の形状を決めて、図６（Ａ），（Ｂ）に示すように、建築物１００のたとえば壁体１０２を設置するための穴６４を地面に掘る。この場合、穴６４の深さＨは、たとえば図８に示すように、ブロック体１２の高さと略同じか僅かに高くなるように掘る。組積みされる複数のブロック体１２としては、たとえばれんがが用いられ、既に上述したように、その上面から下面にかけて貫通する貫通部１６，１８を有するものである。
【００２７】
次に、図６（Ｃ）に示すように、組積みする複数のブロック体１２の下面にジョイントクリップ５０を取付ける。この場合、ジョイントクリップ５０は、各ブロック体１２の躯体１３および１５のそれぞれを跨ぐようにして取付けられる。すなわち、最下段（１段目）に配置される複数のブロック体１２の隣接部分１５，１５に跨るようにして、各ジョイントクリップ５０の上向き挿入部５６ａ，５６ｂが、それぞれ、着脱自在にセットされる（別のセット工程）。そして、図６（Ｄ）に示すように、隣接するブロック体１２の間を連結する。この作業が繰返され、図６（Ｅ）に示すように、最下段（１段目）の複数のブロック体１２が長さ方向に配列される。
【００２８】
さらに、図６（Ｆ）に示すように、最下段（１段目）のブロック体１２の上側から、各ブロック体１２の躯体１３，１５のそれぞれを跨ぐように、ブロック体１２の貫通部１６，１８に、ジョイントクリップ３０が挿入・配置される。
さらに、特に、図７（Ａ）に示すように、各ジョイントクリップ３０の係止部４４ａ，４４ｂおよび各ジョイントクリップ５０の係止部５８ａ，５８ｂが、それぞれ、係止される。この場合、最下段（１段目）に配置される複数のブロック体１２の隣接部分１５，１５に跨るようにして、ジョイントクリップ３０の係止部４４ａ，４４ｂと、各ジョイントクリップ５０の係止部５８ａ，５８ｂとが、それぞれ、係止される（別の連結工程）。
【００２９】
次に、図７（Ｂ）（Ｃ）に示すように、各ブロック体１２の貫通部１６，１８にたとえば棒状の支持クリップ６６が挿入され、支持クリップ６６の先端側がハンマー等で地面に打ち込まれる。そして、最下段（１段目）のブロック体１２の上面には、図７（Ｃ），（Ｄ）に示すように、２段面となる複数のブロック体１２が組積みされる。なお、２段目の端には、図７（Ｃ）に示すように、ブロック体１２の半分の長さのハーフブロック体６８が配置される。
さらに、最下段（１段目）の各ブロック体１２に配置されたジョイントクリップ３０には、図７（Ａ）で示す方法と同様の方法により、他の複数のジョイントクリップ１２がそれぞれ係止され、連結される。
【００３０】
さらに、同様の方法によって、図７（Ｅ）に示すように、２段目の複数のブロック体１２の上に３段目（最上段）のブロック体１２を積み上げられる。この場合、水平方向および鉛直方向に隣接して組積みされる複数のブロック体１２の隣接部分（各ブロック体１２の躯体１５，１５）に跨るようにして、ジョイントクリップ３０が着脱自在にセットされる（セット工程）。
【００３１】
そして、セットされた各ジョイントクリップ３０の上向き挿入部３６ａ，３６ｂの係止部４０ａ，４０ｂと、他の各ジョイントクリップ３０の下向き挿入部３８ａ，３８ｂの係止部４４ａ，４４ｂとが、それぞれ、係止される（連結工程）。
【００３２】
それから、３段目（最上段）のブロック体１２の各貫通部１６，１８に土を入れ、ハンマーの柄等で突いて、入れた土を固める。その後、３段目（最上段）のブロック体１２の各貫通部１６，１８をその上側から塞ぐようにして、笠置用のブロック体６２が嵌め込まれる。そして、その上から足等で土が強く踏み固められて、壁体１０２が完成する。
【００３３】
上述した組積構造１０およびその組積工法では、ジョイントクリップ３０の上向き挿入部３６ａ，３６ｂ、下向き挿入部３８ａ，３８ｂおよびジョイントクリップ５０の上向き挿入部５６ａ，５６ｂが、それぞれ、弾性を有するので、隣接するブロック体１２，１２同士をより一層密着させる方向に、つまり、隣接されるブロック体１２の隣接部分の躯体１５，１５面を挟持・押圧することが可能となる。そのため、隣接するブロック体１２，１２間の連結力を高めることが可能となる。
【００３４】
さらに、上述した組積構造１０およびその組積工法では、１つのジョイントクリップ３０の上向き挿入部３６ａ，３６ｂの係止部４０ａ，４０ｂと、他の１つのジョイントクリップ３０の下向き挿入部３８ａ，３８ｂの係止部４４ａ，４４ｂとが、鉛直方向（上下方向）に係止されるため、係止部４０ａ，４０ｂの溝部４２ａ，４２ｂと係止部４４ａ，４４ｂの溝部４６ａ，４６ｂとの噛み合いによって、１つのジョイントクリップ３０と他の１つの１つのジョイントクリップ３０とは、鉛直方向（上下方向）に外れにくいものとなる。
【００３５】
このことは、ジョイントクリップ３０の上向き挿入部３６ａ，３６ｂおよび下向き挿入部３８ａ，３８ｂにおいて、その係止部４０ａ，４０ｂの溝部４２ａ，４２ｂおよび係止部４４ａ，４４ｂの溝部４６ａ，４６ｂが、それぞれ、上向き挿入部３６ａ，３６ｂおよび下向き挿入部３８ａ，３８ｂの幅方向に延び設けられているためである。すなわち、溝部４２ａ，４２ｂおよび溝部４６ａ，４６ｂの配列方向が、１つのジョイントクリップ３０と他の１つのジョイントクリップ３０との連結方向と直交する方向に配列されているためである。
【００３６】
また、溝部４２ａ，４２ｂおよび溝部４６ａ，４６ｂの配列方向は、１つのジョイントクリップ３０と他の１つのジョイントクリップ３０との連結方向と交差する方向に配列されていればよく、たとえば斜行する方向に配列されてもよい。
なお、上述したことは、１つのジョイントクリップ３０と、１つの別のジョイントクリップ５０との連結の場合についても、同じことが言えるものである。
【００３７】
上述した組積構造１０およびその組積工法では、モルタル等を一切使用せずに、れんが等のブロック体１２とジョイントクリップ３０，５０のみで、複数のブロック体１２を組積みした花壇等の建築物１００が製作される。すなわち、この組積構造１０および組積工法によれば、熟練を要する専門的技術がなくても、手間をかけることなく、且つ、専門的な道具も用いることなく、極めて簡単に花壇等の建築物１００を製作することができる。この場合、モルタルを一切使用しないため、組積みされた複数のブロック体１２の解体が容易となり、形態やレイアウトの変更が容易なものとなる。すなわち、複数のブロック体１２の内の一部のブロック体１２を違う形態のブロック体１２と変更したり、さらに、組積みされた複数のブロック体１２全体で構築される建築物１００のレイアウトを変更したりすることが、手間をかけずに至極簡便にできる。また、モルタルを一切使用しないため、使用済みのれんがは、産業廃棄物にもならず、解体後もアンティークなれんがとしていつでも再利用することができる。
【００３８】
上述の組積構造１０および組積工法では、ブロック体１２として、たとえばれんがが用いられたが、ブロック体１２としては、それ以外に、たとえばコンクリートブロックや石材などが適宜用いられてもよい。また、上述の組積構造１０および組積工法により製造される建築物１００のレイアウトは、図９に示す平面視矩形箱状に限定されるものではなく、たとえば図１０に示すように、平面視円形状にレイアウトされてもよく、また、たとえば図１１（Ａ），（Ｂ），（Ｃ）に示すように、それぞれ、平面視半円形状、平面視Ｕ字形状および平面視波形状にレイアウトされてもよく、適宜、使用者の要望に応じて、変更可能である。
【００３９】
なお、図９に示す建築物１００では、壁体１０２を構成する複数のブロック体１２の形態が、図１に示すブロック体１２および笠木用のブロック体６２の形態と同様に形成されるが、コーナー部には、別途、コーナーの曲率に応じたアール形状のブロック体７０およびそれに応じた笠置用のブロック体７０ａが用いられる。また、図１０に示す建築物１００では、ブロック体１２に変えて、円弧状のブロック体７２およびそれに応じた笠置用のブロック体７２ａが用いられる。さらに、図１１（Ａ）に示す建築物１００では、図１０に示す建築物１００と同様の円弧状のブロック体７２およびそれに応じた笠置用のブロック体７２ａと、端の部分に配置され、該ブロック体７２の半分の長さの端用のハーフブロック体７４およびそれに応じた笠置用のブロック体７４ａとが用いられる。また、図１１（Ｂ）に示す建築物１００では、図９に示す建築物１００と同様のブロック体１２および笠木用のブロック体６２と、ブロック体７０およびそれに応じた笠置用のブロック体７０ａとが用いられる。さらに、図１１（Ｃ）に示す建築物１００では、図１０に示す建築物１００と同様の円弧状のブロック体７２およびそれに応じた笠置用のブロック体７２ａと、端の部分に配置され、該ブロック体７２の半分の長さの端用のハーフブロック体７４およびそれに応じた笠置用のブロック体７４ａとが用いられる。
【産業上の利用可能性】
【００４０】
本願発明にかかる組積構造および組積工法は、れんが、コンクリートブロック、石材等の建築用ブロック体を組積みして形成される花壇、壁体等の建築物の組積構造および組積工法に用いられる。
【図面の簡単な説明】
【００４１】
【図１】本願発明にかかる組積構造の一例を示す要部分解斜視図である。
【図２】本願発明にかかる組積構造の一例を示す要部断面図解図である。
【図３】図１および図２の組積構造に適用されるジョイントクリップの一例を示す図であって、図３（Ａ）はその斜視図であり、図３（Ｂ）はその縦断面図である。
【図４】図１および図２の組積構造に適用される別のジョイントクリップの一例を示す図であって、図４（Ａ）はその斜視図であり、図４（Ｂ）はその縦断面図である。
【図５】図３のジョイントクリップと図４の別のジョイントクリップとの連結状態の一例を示す斜視図および要部拡大図解図である。
【図６】図６（Ａ），（Ｂ），（Ｃ），（Ｄ），（Ｅ），（Ｆ）は、本願発明にかかる組積工法の一例を示す工程図であって、工程の最初から工程の途中までを示す工程図である。
【図７】図７（Ａ），（Ｂ），（Ｃ），（Ｄ），（Ｅ），（Ｆ）は、本願発明にかかる組積工法の一例を示す工程図であって、図６（Ａ）〜（Ｆ）の工程から引き続いて、工程の途中から工程の最後までを示す工程図である。
【図８】図６および図７の組積工法により製作される建築物の組積み状態の一部を示す要部断面図解図である。
【図９】本願発明にかかる組積構造および組積工法が適用された建築物の一例を示す斜視図である。
【図１０】本願発明にかかる組積構造および組積工法が適用された建築物の他の例を示す斜視図である。
【図１１】図１１（Ａ），（Ｂ），（Ｃ）は、本願発明にかかる組積構造および組積工法が適用された建築物のさらに他の例を示す平面図である。
【符号の説明】
【００４２】
１０  組積構造
１２  ブロック体
１３，１５  躯体
１４  ブロック体本体
１６，１８  貫通部
２０  段差部
２２  装飾部
３０，５０  ジョイントクリップ，別のジョイントクリップ
３２，５２  基材部
３４ａ，３４ｂ，５４ａ，５４ｂ  挿入片
３６ａ，３６ｂ，５６ａ，５６ｂ  上向き挿入部
３８ａ，３８ｂ  下向き挿入部
４０ａ，４０ｂ，５８ａ，５８ｂ  係止部
４２ａ，４２ｂ，６０ａ，６０ｂ  溝部
６２，７０ａ，７２ａ，７４ａ  笠置用のブロック体
６６  支持クリップ
６８，７４  ハーフブロック体
１００  建築物
１０２  壁体
【図１】
2005120747.tif 000003
【図２】
2005120747.tif 000004
【図３】
2005120747.tif 000005
【図４】
2005120747.tif 000006
【図５】
2005120747.tif 000007
【図６】
2005120747.tif 000008
【図７】
2005120747.tif 000009
【図８】
2005120747.tif 000010
【図９】
2005120747.tif 000011
【図１０】
2005120747.tif 000012
【図１１】
2005120747.tif 000013